(57)【要約】【課題】複数人で共同作成する作品について、複数人による編集履歴に基づき作品の優先順位付けを行うことを実現する作品評価装置を提供する。【解決手段】作品評価装置は、複数のユーザによる作品に対する編集履歴情報を記憶する編集履歴情報記憶部と、作品に対する編集に関する情報および複数のユーザに関する情報の少なくとも一方と、作品の重要度を評価するための評価値情報とを対応付けた評価値情報を記憶する重要度算出情報記憶部と、編集履歴情報および評価値情報に基づき作品の重要度を算出する作品重要度算出部とを備える。【選択図】図１
2013161467.tif 000002
【特許請求の範囲】
【請求項１】
複数のユーザにより編集された作品を評価する作品評価装置であって、
前記複数のユーザによる前記作品に対する編集履歴情報を記憶する編集履歴情報記憶部と、
前記作品に対する編集に関する情報および前記複数のユーザに関する情報の少なくとも一方と、前記作品の重要度を評価するための評価値情報とを対応付けた評価値情報を記憶する重要度算出情報記憶部と、
前記編集履歴情報および前記評価値情報に基づき前記作品の重要度を算出する作品重要度算出部と、
を備える作品評価装置。
【請求項２】
前記作品に対する編集に関する情報は、前記作品における所定の部分を編集したユーザの人数である、請求項１記載の作品評価装置。
【請求項３】
前記作品に対する編集に関する情報は、前記作品における所定の部分を編集した際の、前記複数のユーザ間のメッセージのデータ量である、請求項１記載の作品評価装置。
【請求項４】
前記作品に対する編集に関する情報は、前記作品における所定の部分を編集した際の編集内容である、請求項１記載の作品評価装置。
【請求項５】
前記複数のユーザに関する情報は、前記作品における所定の部分を編集した前記複数のユーザ間の物理的距離である、請求項１記載の作品評価装置。
【請求項６】
前記編集履歴情報記憶部は、さらに、前記作品の重要度を算出するための重要度算出ルールを定義する基準情報を記憶し、
前記重要度算出情報記憶部は、前記重要度算出ルールに定義されたルールにより前記作品の重要度を算出する、
請求項１記載の作品評価装置。
【請求項７】
前記作品評価装置は、さらに、
作品の閲覧要求に関する閲覧要求情報を受け付ける入出力部を備え、
前記基準情報は、複数の重要度算出ルールを含み、
前記閲覧要求情報は、前記重要度算出ルールを指定するための情報を含み、
前記作品重要度算出部は、前記閲覧要求情報に基づき、前記複数の重要度算出ルールから選択された重要度算出ルールにより前記作品の重要度を算出する、
請求項６記載の作品評価装置。
【請求項８】
前記基準情報は、複数の重要度算出ルールを含み、
前記作品重要度算出部は、前記複数の重要度算出ルールから所定の順序で選択された重要度算出ルールにより前記作品の重要度を算出する、
請求項６記載の作品評価装置。
【請求項９】
前記作品評価装置は、さらに、
作品の閲覧要求に関する閲覧要求情報を受け付ける入出力部を備え、
前記閲覧要求情報は、前記作品を閲覧するユーザを識別するためのユーザ識別情報を含み、
前記重要度算出部は、前記ユーザ識別情報、前記編集履歴情報および前記評価値情報に基づき前記作品の重要度を算出する、
請求項１記載の作品評価装置。
【請求項１０】
複数のユーザにより編集された作品を評価する作品評価装置における作品評価方法であって、
前記作品評価装置が、
前記複数のユーザによる前記作品に対する編集履歴情報を記憶する編集履歴情報記憶ステップと、
前記作品に対する編集に関する情報および前記複数のユーザに関する情報の少なくとも一方と、前記作品の重要度を評価するための評価値情報とを対応付けた評価値情報を記憶する重要度算出情報記憶ステップと、
前記編集履歴情報および前記評価値情報に基づき前記作品の重要度を算出する作品重要度算出ステップと、
を実行する作品評価方法。
【請求項１１】
コンピュータに、複数のユーザにより編集された作品を評価する作品評価方法を実行させるためのプログラムであって、
前記コンピュータに、
前記複数のユーザによる前記作品に対する編集履歴情報を記憶する編集履歴情報記憶ステップと、
前記作品に対する編集に関する情報および前記複数のユーザに関する情報の少なくとも一方と、前記作品の重要度を評価するための評価値情報とを対応付けた評価値情報を記憶する重要度算出情報記憶ステップと、
前記編集履歴情報および前記評価値情報に基づき前記作品の重要度を算出する作品重要度算出ステップと、
を実行させるプログラム。
【請求項１２】
複数のユーザにより編集された作品を評価する集積回路であって、
前記複数のユーザによる前記作品に対する編集履歴情報を取得する編集履歴情報取得部と、
前記作品に対する編集に関する情報および前記複数のユーザに関する情報の少なくとも一方と、前記作品の重要度を評価するための評価値情報とを対応付けた評価値情報を記憶する重要度算出情報取得部と、
前記編集履歴情報および前記評価値情報に基づき前記作品の重要度を算出する作品重要度算出部と、
を備える作品評価装置。
【発明の詳細な説明】
【技術分野】
【０００１】
本発明は、デジタルコンテンツから成るデジタルアルバムを共同で編集可能な情報処理装置で構成される作品評価装置、作品評価方法及びプログラムに関する。
【背景技術】
【０００２】
近年、デジタルカメラやデジタルムービーの普及に伴い、写真や動画を撮影する機会が増えている。それにともない、撮影した写真や動画を加工し楽しむこともできるようになってきている。一例として、アルバムテンプレート（台紙）上に好みの写真を配置し、デジタルアルバムを作成できる機器が登場してきている。ユーザは、「運動会」や「結婚式」などのイベントで撮影した写真を使い、複数枚のアルバムページで構成されるデジタルアルバムを簡単に作成することができる。また、このようなデジタルアルバムを一人で作成するだけでなく、ネットワークを介して複数人で共同作成することも可能となってきている。
【０００３】
しかしながら、共同で作成したデジタルアルバムが機器内に多く存在するようになった場合、ユーザが所望するアルバムやアルバムページを探すためにかなりの時間を要してしまう。そのため、デジタルアルバムを格納する機器によりユーザにとって重要度の高いアルバムやアルバムページを特定し、提示することが望まれている。
【０００４】
ここで、重要度の高いアルバムを特定するために、対象となる画像データを解析し、特徴的なシーンや顔が多く写っている画像データの重要度を高く設定することで優先順位付けを行うシステムが存在する。
【０００５】
また、画像ファイルや文書データについて、参照回数、参照時間、プリント回数、編集回数、編集時間等の情報に基づき重要度を決定する技術が存在する（例えば、特許文献１、特許文献２参照）。
【先行技術文献】
【特許文献】
【０００６】
【特許文献１】特開２０１０−１２８５１８号公報
【特許文献２】特開２００５−２６０３５５号公報
【発明の概要】
【発明が解決しようとする課題】
【０００７】
しかしながら、従来技術では、画像解析の結果、つまり、写真に写る内容に基づき優先順位付けを行うことは可能であるが、作品の編集過程に基づき優先順位付けを行うことは困難であるという課題がある。また、高度な画像解析は、資源制約のある組み込み機器での実現は困難であるという課題もある。
【０００８】
また、特許文献１、特許文献２に記載のシステムにおいては、対象となるデータを１人のユーザで編集した場合であっても複数人で編集した場合であっても編集内容が同じであれば重要度は同じであると設定されるため、例えばデジタルアルバムのように複数人で共同作成する作品について、複数人による編集作業に基づく重要度を得ることはできない。
【０００９】
本発明は、上記事情に鑑みてなされたもので、複数人で共同作成する作品について、複数人による編集履歴に基づき作品の優先順位付けを行うことを実現する作品評価装置を提供することを目的とする。
【課題を解決するための手段】
【００１０】
前記従来の課題を解決するために、本発明の作品評価装置は、複数のユーザにより編集された作品を評価する作品評価装置であって、前記複数のユーザによる前記作品に対する編集履歴情報を記憶する編集履歴情報記憶部と、前記作品に対する編集に関する情報および前記複数のユーザに関する情報の少なくとも一方と前記作品の重要度を評価するための評価値情報とを対応付けた評価値情報を記憶する重要度算出情報記憶部と、前記編集履歴情報および前記評価値情報に基づき前記作品の重要度を算出する作品重要度算出部と、を備える。
【００１１】
これにより、複数人で共同作成する作品について、複数人による編集履歴に基づき作品の優先順位付けを行うことが可能となる。
【発明の効果】
【００１２】
本発明の作品評価装置によれば、複数人で共同作成する作品について、複数人による編集履歴に基づき作品の優先順位付けを行うことが可能となる。また高度な画像解析を用いない手法であるため、資源制約のある組み込み機器への適用も可能となる。
【図面の簡単な説明】
【００１３】
【図１】実施の形態１に係る作品評価装置の構成を示す図
【図２】実施の形態１に係るアルバム表示画面の一例を示す図
【図３】実施の形態１に係る作品編集画面の一例を示す図
【図４】実施の形態１に係る作品管理情報の一例を示す図
【図５】実施の形態１に係る編集履歴情報の一例を示す図
【図６】実施の形態１に係る基準情報の一例を示す図
【図７】実施の形態１に係る評価値情報の一例を示す図
【図８】実施の形態１に係る作品評価装置の動作の一例を示すフローチャート
【図９】作品重要度算出部が「参加者人数優先」のルールにより重要度を算出する処理の一例を示すフローチャート
【図１０】作品重要度算出部が「ポイント優先」のルールにより重要度を算出する処理の一例を示すフローチャート
【図１１】作品重要度算出部が「個別参加者優先」のルールにより重要度を算出する処理の一例を示すフローチャート
【発明を実施するための形態】
【００１４】
以下本発明の実施の形態について、図面を参照しながら説明する。
【００１５】
（実施の形態１）
図１は、本発明の作品評価装置の形態の概略構成を示す図である。作品評価装置１００は、入出力部１０１、作品編集部１０２、作品情報記憶部１０３、編集履歴取得部１０４、編集履歴情報記憶部１０５、作品重要度算出部１０６、重要度算出情報記憶部１０７、作品取得部１０８、から構成される。また、作品評価装置１００には、複数台の端末１０９が接続されている。
【００１６】
ユーザは、端末１０９からネットワーク経由で入出力部１０１を介して作品評価装置１００に接続し、例えば、複数台の端末１０９が揃った時点で、作品としての共同アルバムの編集を開始する。また、他のユーザが、すでに開始した共同アルバムの編集に途中から参加することも可能である。作品評価装置１００として、ＨＤＤレコーダー、ホームサーバー、クラウドサーバーなどの機器が挙げられる。
【００１７】
ここでまず、作品評価装置１００が扱う作品の一例であるデジタルアルバムについて、図２を用いて説明する。図２はアルバム表示画面の一例を表している。アルバム表示画面には、デジタルアルバム２００が表示されている。また、デジタルアルバム２００は、写真などを貼り付けることができるアルバムテンプレート２０１と、アルバムテンプレート上に配置された写真２０２、デコパーツ２０３、コメント２０４、音声データを再生するための指示ボタン２０５により構成されている。ユーザは、アルバムテンプレート２０１に写真２０２、デコパーツ２０３、コメント２０４を配置し、指示ボタン２０５に音声データを対応付けることで簡単に見栄えの良いデジタルアルバムを作成することが可能となる。
【００１８】
なお、デコパーツ２０３およびコメント２０４は、編集画面においてユーザにより手書きで追加されたものであってもあらかじめ格納された素材データであってもよい。また、指示ボタン２０５によって再生される音声データは、声や効果音、ＢＧＭなどであってもよい。また、写真２０２、デコパーツ２０３、コメント２０４、指示ボタン２０５の配置は図２の例に限らない。さらに、写真２０２、デコパーツ２０３、コメント２０４の個数は、図２の例に限らない。
【００１９】
また、デジタルアルバム２００において、デコパーツ２０３、コメント２０４、指示ボタン２０５の全てが配置される必要はなく、作品ごとに必要なものが適宜配置されればよい。また、デジタルアルバム２００は、図２に示す１枚のページからなるものであっても、図２に示す１枚のページ以外のページを含む複数枚のページからなるものであってよい。
【００２０】
次に、図１に戻り、作品評価装置１００の構成について説明する。
【００２１】
入出力部１０１は、作品に対する編集操作を受け付ける。編集操作は、例えば、ユーザが端末１０９を介して行う。また、入出力部１０１は、端末１０９から送信された作品の閲覧要求を受け付ける。また、この閲覧要求に基づき取得された作品は、入出力部１０１を介して端末１０９に送信される。
【００２２】
作品編集部１０２は、入出力部１０１を介して受け付けた、端末１０９からの編集操作を作品に対して反映する。また、作品編集部１０２は、端末１０９からの編集操作を受け付けるために、端末１０９に対して作品編集機能を提供する。
【００２３】
作品編集機能の提供にあたっては、例えば、作品編集のためのユーザインターフェースを端末１０９に対して提供することが考えられる。図３は、前述したデジタルアルバムを例とした場合の作品編集画面の一例を示す図である。図３の例では、作品編集画面３００は、作品ビュー領域３０１、写真の入れ替え／選択ボタン３０２、音声データ追加ボタン３０３、手書きコメントボタン３０４、デコパーツ配置ボタン３０５、補助画面３０６、メッセージ表示画面３０７から構成される。
【００２４】
作品ビュー領域３０１には、例えば図２に示したデジタルアルバム２００が表示される。
【００２５】
ユーザは、作品ビュー領域３０１で表示されるデジタルアルバムに対して、「写真の選択／入れ替え」、「音声データ追加」、「手書きコメント」、「デコパーツ配置」などのアルバム編集操作を行うことができる。例えば、ユーザは、写真の選択／入れ替えボタン３０２、デコパーツ配置ボタン３０５を押下し、端末１０９や作品評価装置１００内に格納された写真やデコパーツを指定することで、指定された写真やデコパーツをアルバムテンプレート２０１上に貼り付けることが可能となる。貼り付けた写真やデコパーツは、例えば、作品ビュー領域３０１での操作により、任意の位置、サイズ、傾きに変更することができる。また、ユーザは、「音声データ追加」ボタン３０３を押下し、端末１０９や作品評価装置１００内に格納された音声データを指定することで、指定された音声データを編集中のアルバムページに紐付けることが可能となる。また「手書きコメント」ボタン３０４を押下し、端末１０９での操作により任意の手書きコメントを書き込むことが可能となる。また、補助画面３０６には、例えば、作品編集画面３００に表示されているデジタルアルバムの編集作業に参加しているユーザの端末名やユーザ名が表示される。そして、メッセージ表示画面３０７には、例えば、デジタルアルバムの編集作業に参加しているユーザ間でのメッセージ通信の内容が表示される。メッセージ表示画面３０７を介して、ユーザは、デジタルアルバムの編集作業に参加しているユーザとチャット形式でメッセージ通信を行いながらデジタルアルバムの編集を実施できる。
【００２６】
作品情報記憶部１０３は、作品編集部１０２により編集操作が反映された作品を保存する。本実施の形態では、作品は、作品を構成する実体である作品テンプレート、写真、デコパーツ、手書きデータ、および音声データと、作品を構成するための情報を示す作品管理情報とにより構成されるものとし、作品情報記憶部１０３は、このような、作品を構成する実体と作品管理情報との対応関係を作品ごとに記憶する。
【００２７】
作品管理情報の一例を図４に示す。図４の例では、複数のページからなるデジタルアルバムを例として、デジタルアルバムを識別するための作品ＩＤおよびデジタルアルバム内のページを識別するための作品ページＩＤと対応付けて、作品を構成するための情報として、作品テンプレートファイル、写真ファイル、写真位置、デコパーツファイル、デコパーツ位置、手書きコメントファイル、手書きコメント位置、および音声ファイルが記述されている。
【００２８】
作品テンプレートファイルは、アルバムテンプレートとして使用されるファイルを識別するための情報であり、図４では、その一例としてファイル名を用いている。図４の例では、作品ＩＤ１が付与された作品における作品ページＩＤ１を付与されたページについては、ファイル名が「ｔｅｍｐｌａｔｅ００１．ｊｐｇ」のファイルを用いることを示している。
【００２９】
写真ファイルは、アルバムテンプレートに配置される写真を識別するための情報であり、図４では、その一例として写真のファイル名を用いている。図４の例では、作品ＩＤ１が付与された作品における作品ページＩＤ１を付与されたページについては、ファイル名が「ｐｈｏｔｏ００１．ｊｐｇ」のファイルを用いることを示している。
【００３０】
写真位置は、アルバムテンプレートにおける写真の配置位置を示す情報であり、図４では、その一例として、矩形の写真をアルバムテンプレートに配置した際の各頂点の座標を用いている。図４の例では、作品ＩＤ１が付与された作品における作品ページＩＤ１を付与されたページについては、ファイル名が「ｐｈｏｔｏ００１．ｊｐｇ」の写真をアルバムテンプレートに配置した際の各頂点の座標が（ｘ１，ｙ１）、（ｘ２，ｙ２）、（ｘ３，ｙ３）、（ｘ４，ｙ４）であることを示している。
【００３１】
デコパーツファイルは、アルバムテンプレートに配置されるデコパーツを識別するための情報であり、図４では、その一例として、デコパーツのファイル名を用いている。図４の例では、作品ＩＤ１が付与された作品における作品ページＩＤ１を付与されたページについては、ファイル名が「ｄｅｃｏ００１．ｐｎｇ」のファイルを用いることを示している。
【００３２】
デコパーツ位置は、アルバムテンプレートにおけるデコパーツの配置位置を示す情報であり、図４では、その一例として、デコパーツをアルバムテンプレートに配置した際に、このデコパーツを内包する矩形の各頂点の座標を用いている。図４の例では、作品ＩＤ１が付与された作品における作品ページＩＤ１を付与されたページについては、ファイル名が「ｄｅｃｏ００１．ｊｐｇ」のデコパーツをアルバムテンプレートに配置した際に、このデコパーツを内包する矩形の各頂点の座標が（ｘ５，ｙ５）、（ｘ６，ｙ６）、（ｘ７，ｙ７）、（ｘ８，ｙ８）であることを示している。
【００３３】
手書きコメントファイルは、アルバムテンプレートに配置された手書きコメントを識別するための情報であり、図４では、その一例として、手書きコメントを電子データとして格納する際のファイル名を用いている。図４の例では、作品ＩＤ１が付与された作品における作品ページＩＤ１を付与されたページについては、ファイル名が「ｃｏｍｍｅｎｔ００１．ｐｎｇ」のファイルを用いることを示している。
【００３４】
手書きコメント位置は、アルバムテンプレートにおける手書きコメントの配置位置を示す情報であり、図４では、その一例として、手書きコメントをアルバムテンプレートに配置した際に、この手書きコメントを内包する矩形の各頂点の座標を用いている。図４の例では、作品ＩＤ１が付与された作品における作品ページＩＤ１を付与されたページについては、ファイル名が「ｃｏｍｍｅｎｔ００１．ｊｐｇ」の手書きコメントをアルバムテンプレートに配置した際に、この手書きコメントを内包する矩形の各頂点の座標が（ｘ９，ｙ９）、（ｘ１０，ｙ１０）、（ｘ１１，ｙ１１）、（ｘ１２，ｙ１２）であることを示している。
【００３５】
音声ファイルは、デジタルアルバムの閲覧時に再生される音声ファイルを識別するための情報であり、図４では、その一例として、音声ファイルのファイル名を用いている。図４の例では、作品ＩＤ１が付与された作品における作品ページＩＤ１を付与されたページを閲覧する際には、ファイル名が「ｖｏｉｃｅ００１．ｍｐ３」のファイルを用いることを示している。
【００３６】
なお、図４においては、写真、デコパーツ、手書きコメント、音声ファイルが１アルバムページにそれぞれ１つずつ配置される場合の例を示しているが、写真、デコパーツ、手書きコメントは１アルバムページに複数配置されることも考えられる。この場合、例えば、１つの作品ページに配置される写真、デコパーツ、手書きコメント全てのファイル名や位置に関する情報を、図４で示す作品管理情報の１行のレコードに含めて管理するようにすればよい。
【００３７】
図１の説明に戻り、編集履歴取得部１０４は、作品編集部１０２により作品に反映された編集操作に関する情報を、編集履歴情報として取得する。
【００３８】
ここで、編集履歴情報は、作品の所定箇所ごとに、その所定箇所に対する編集操作に関する情報と対応付けて管理される。ここで、作品の所定箇所としては、（１）作品全体、（２）例えば複数ページからなるデジタルアルバムにおける１枚のページなどの作品の閲覧時にまとまりのある１単位、（３）例えばデコパーツやコメントなどの作品を構成する部品、その他種々のものが考えられるが、そのいずれであってもよい。
【００３９】
編集履歴情報記憶部１０５は、編集履歴取得部１０４により取得された編集履歴情報を記憶する。
【００４０】
図５は、編集履歴情報記憶部１０５に記憶される編集履歴情報の一例を示す図である。図５の例では、複数のページからなるデジタルアルバムを例として、デジタルアルバムを識別するための作品ＩＤおよびデジタルアルバム内のページを識別するための作品ページＩＤと対応付けて、編集操作に関する情報として、編集人数、距離、データ量、編集内容、参加者名が記述されている。
【００４１】
編集人数は、作品の所定箇所に対して編集操作を行ったユーザの人数を示す情報である。図５の例では、作品ＩＤ１が付与された作品における作品ページＩＤ１を付与されたページについて、編集人数が３人であったことを示している。
【００４２】
距離は、作品の所定箇所に対して編集操作を行った複数のユーザ間の物理的距離を示す情報である。ここで、複数のユーザ間の物理的距離は、例えば、ユーザが編集操作を行った時点でいた場所から算出することができる。ユーザが、端末１０９としてスマートフォンなどの可搬できる端末を用いて編集操作を行う場合、ＧＰＳなどの情報を用いて、ユーザが編集操作を行った時点でいた場所を特定することができる。また、複数のユーザ間の物理的距離は、複数のユーザの住所に関する情報が得られる場合は、その住所の位置に関する情報から算出してもよい。また、物理的距離は、複数のユーザのうち、特定の１人のユーザとそれ以外のユーザに対して算出してもよく、全てのユーザの組み合わせに対して算出してもよい。図５の例では、作品ＩＤ１が付与された作品における作品ページＩＤ１を付与されたページについて、ユーザＡ、ユーザＢ間の距離である８０ｋｍ、ユーザＡ、ユーザＣ間である距離が２０ｋｍ、およびこれらの合計である１００ｋｍが距離２０４として管理されている。
【００４３】
データ量は、作品の所定箇所に対して編集操作を行った際に複数のユーザ間で行われたメッセージの量に関する情報である。メッセージの量としては、例えば、図３のような作品編集画面のメッセージ表示画面３０７を用いてチャットによりメッセージの交換が行われた場合の、各ユーザから送信されたメッセージデータのトータルサイズを用いることができる。図５の例では、作品ＩＤ１が付与された作品における作品ページＩＤ１を付与されたページについて、ユーザＡ、Ｂ、Ｃそれぞれが送信したメッセージデータのトータルサイズである７００ｂｙｔｅ、２００ｂｙｔｅ、１００ｂｙｔｅおよび、これらの合計の１０００ｂｙｔｅがデータ量２０５として管理されている。
【００４４】
編集内容は、作品の所定箇所に対する編集操作の内容を示す情報である。このとき、編集操作の内容と編集操作を行ったユーザとを対応付けて管理してもよい。図５の例では、作品ＩＤ１が付与された作品における作品ページＩＤ１を付与されたページについて、ユーザＡが写真の選択／入れ替えを行ったこと、ユーザＢがデコパーツの配置と手書きコメントの追加を行ったこと、およびユーザＣが写真の選択／入れ替えを行ったことが編集内容２０６として管理されている。
【００４５】
参加者名は、作品の所定箇所に対して編集操作を行ったユーザのユーザ名を示す情報である。図５の例では、作品ＩＤ１が付与された作品における作品ページＩＤ１を付与されたページについて、Ａ、Ｂ、Ｃが参加者名として管理されている。
【００４６】
なお、編集履歴情報のデータ構成は図５の例に限られないことはいうまでもない。例えば、図５における編集内容のように、編集操作の内容と編集操作を行ったユーザとが対応付けて管理されている場合は、この情報を用いて編集人数および参加者名を得ることができるので、これらの情報は編集履歴情報として管理しなくてもよい。
【００４７】
また、編集履歴情報として、編集年月日、編集日時ごとに、編集箇所、編集したユーザ、編集操作の内容を管理するようにしてもよい。そして、このような態様で管理した編集履歴情報を集計することにより、図５の例で示した編集履歴情報を得るようにしてもよい。
【００４８】
図１の説明に戻り、作品重要度算出部１０６は、編集履歴情報と重要度算出情報とに基づき、作品の重要度を算出する。本実施の形態においては、作品の重要度は、作品の編集を行った複数のユーザに関する情報と、その編集操作の内容に関する情報の少なくとも一方に基づいて算出されるものとする。また、重要度算出情報は、重要度算出のルールに関する基準情報と、編集履歴の内容ごとに重要度算出のためのポイントを定義した評価値情報により構成されるものとする。
【００４９】
基準情報の一例を図６に示す。図６の例では、重要度を算出するための定義情報である重要度算出ルールを、重要度算出ルールを識別するためのルールＩＤと対応付けて管理している。さらに、重要度の算出処理において有効となっている重要度算出ルールを識別するために、有効フラグがあわせて管理されている。図６の例において、ルールＩＤ＝１に対応付けられた「参加者人数優先」は、作品の編集に参加した人数が多い作品を優先的に表示することを示すルールである。また、ルールＩＤ＝２に対応付けられた「ポイント優先」は、作品の編集履歴情報に基づきポイントを集計し、集計したポイントの高い順に作品を表示することを示すルールである。また、ルールＩＤ＝３に対応付けられた「個別参加者優先」は、作品を閲覧しようとするユーザが編集に参加したアルバムを優先的に表示することを示すルールである。ルールＩＤ＝４に対応付けられた「ＩＤ順」は、図６に示す基準情報において格納された重要度算出ルールをルールＩＤ順に選択し、選択された重要度算出ルールによって重要度が高いと設定された作品を表示することを示すルールである。
【００５０】
次に、評価値情報の一例を図７に示す。図７の例では、図５に示した編集履歴情報で管理する情報に対応して、距離に関する評価値情報、データ量に関する評価値情報、編集内容に関する評価値情報、及び編集人数に関する評価値情報からなる。
【００５１】
距離に関する評価値情報の一例を図７（ａ）に示す。図７（ａ）の例では、距離に関する評価値情報は、編集操作を行ったユーザ間の距離とポイントとを対応付けた情報として管理されている。図７（ａ）の例では、編集操作を行ったユーザ間の距離が１ｋｍ以内の場合は、付与するポイントが「１」であることを示している。
【００５２】
データ量に関する評価値情報の一例を図７（ｂ）に示す。図７（ｂ）の例では、データ量に関する評価値情報は、編集操作を行った際に複数のユーザ間で交換されたメッセージデータのトータルサイズを示すやりとりサイズとポイントとを対応付けた情報として管理されている。図７（ｂ）の例では、編集操作を行った際に複数のユーザ間で交換されたメッセージデータのトータルサイズが１０ｂｙｔｅ以下の場合は、付与するポイントが「１」であることを示している。
【００５３】
編集内容に関する評価値情報の一例を図７（ｃ）に示す。図７（ｃ）の例では、編集内容に関する評価値情報は、編集操作の内容を示す編集内容とポイントとを対応付けた情報として管理されている。図７（ｃ）の例では、「写真の選択／入れ替え」との編集操作に対しては、付与するポイントが「５０」であることを示している。
【００５４】
編集人数に関する評価値情報の一例を図７（ｄ）に示す。図７（ｄ）の例では、編集人数に関する評価値情報は、編集操作を行ったユーザの人数を示す編集人数とポイントとを対応付けた情報として管理されている。図７（ｄ）の例では、編集人数が１人である場合は、付与するポイントが「１００」であることを示している。
【００５５】
なお、図７で示した評価値情報は一例に過ぎず、編集履歴情報から算出可能な項目とポイントとを対応付けた情報であれば、どのようなものであってもよい。また、図７で示した各評価値情報において、ポイントの値は、あらかじめ設定された固定の値であっても、ユーザが手動で設定したものであってもよい。
【００５６】
作品重要度算出部１０６は、例えば、後述する作品取得部１０８が、入出力部１０１を介してユーザからの作品の閲覧要求を受け付けたことを契機として、その閲覧要求に対して重要度の算出を行う。例えば、閲覧要求情報には、重要度算出ルールを特定する情報や閲覧要求を行ったユーザに関する情報が含まれており、作品重要度算出部１０６は、この閲覧要求情報に含まれる情報の一部または全てを用いて重要度の算出を行う。この場合、作品評価装置１００は、端末１０９に対して、作品の閲覧要求を行うユーザを識別するための情報や、重要度算出ルールを指定するためのユーザインタフェースを提供するようにすればよい。
【００５７】
図１の説明に戻り、作品取得部１０８は、入出力部１０１を介してユーザから作品の閲覧要求を受け付けると、作品情報記憶部１０３に記憶された作品を取得する。このとき取得される作品は、作品重要度算出部１０６により、受け付けた閲覧要求に対して重要度が高いと評価された作品である。取得した作品は、例えば、入出力部１０１を介して端末１０９に送信される。
【００５８】
次に、本実施の形態に係る作品評価装置１００による重要度算出処理について説明する。
【００５９】
図８は、本実施の形態に係る作品評価装置１００の作品取得時の動作の一例を示すフローチャートである。
【００６０】
まず、作品評価装置１００は、入出力部１０１を介して、作品の閲覧要求を受け付ける（Ｓ８０１）。作品取得部１０８は、作品重要度算出部１０６に、作品の閲覧要求に基づく作品の重要度の算出を依頼する。
【００６１】
次に、作品重要度算出部１０６は、作品の重要度が算出する（Ｓ８０２）。重要度算出の対象となる作品は、例えば作品情報記憶部１０３に記憶された複数の作品である。また、作品の重要度は、例えば、図７に示した基準情報に含まれるいずれかの重要度算出ルールと、図７に示した、重要度算出ルールに対応する評価値情報を用いて行われる。図６に示した基準情報に含まれる重要度算出ルールに対応した重要度の算出処理については後述する。
【００６２】
また、重要度算出のためのルールは、例えば、端末１０９から受信した作品の閲覧要求情報にルールを指定する情報が含まれており、この情報に基づき選択することが考えられる。その他の例として、作品の閲覧要求情報にはルールを指定する情報は含まれておらず、作品の閲覧要求情報を受信した際に、基準情報として記憶された複数のルールの中から、ランダムあるいは所定の順序によりいずれかのルールを選択することとしてもよい。
【００６３】
作品の重要度が算出されると、作品の閲覧要求に対して最も重要度の高い作品が特定され、作品取得部１０８に通知される。
【００６４】
次に、作品取得部１０８は、作品情報記憶部１０３から、Ｓ８０２で特定された作品を取得する（Ｓ８０３）。取得された作品は、例えば、作品の閲覧要求を行ったユーザが所有する端末１０９に、入出力部１０１を介して送信される。また、作品評価装置１００が表示部（図示せず）を備える場合は、取得された作品を、表示部に表示させることも考えられる。
【００６５】
次に、作品重要度算出部１０６による、図６に示した基準情報に含まれる重要度算出ルールに対応した重要度の算出処理について、図９、図１０、図１１を用いて説明する。
【００６６】
まずは、重要度算出ルールが「参加者人数優先」の場合の重要度算出処理について、図９のフローチャートを用いて説明する。前提として、Ｎ人が一緒に作品評価装置１００を用いて、あるアルバムＩＤのアルバムページの閲覧を行うシーンを想定する。作品評価装置１００は、アルバム閲覧者数Ｎを把握している状態から重要度算出を開始するものとする。
【００６７】
ここで、アルバム閲覧者数の把握は、例えば、アルバム閲覧者数の情報を作品評価装置１００に入力することにより可能である。この例の他、アルバムを閲覧するユーザのユーザＩＤを作品評価装置１００に入力し、入力されたユーザＩＤの数を集計してアルバム閲覧者数としてもよい。さらに、ユーザが所有する端末１０９を識別する情報とユーザを識別する情報とを作品評価装置１００にあらかじめ記憶させておき、アルバムを閲覧する際に、作品評価装置１００が通信等の手段により端末１０９を識別する情報の取得を試み、取得できた端末の識別情報に対応するユーザＩＤを、アルバムを閲覧するユーザのユーザＩＤとして特定し、特定できたユーザＩＤの合計数を参加者数としてもよい。
【００６８】
まず、図６に示した基準情報から、「参加者人数優先」の重要度算出ルールを取得する（Ｓ９０１）。重要度算出ルールの取得は、例えば、前述の通り、作品の閲覧要求情報に重要度算出ルールを指定する情報が含まれており、この情報に基づき行われることが考えられる。その他、作品の閲覧要求情報の受信を契機として、ランダム、ルールＩＤ順等の所定の順序で重要度算出ルール選択され、選択された重要度算出ルールを取得するようにしてもよい。
【００６９】
次に、図５に示した編集履歴情報の「編集人数」の項目を参照し、編集人数がＮ人のアルバムページが存在するか確認する（Ｓ９０２）。編集人数がＮ人のアルバムページが存在しない場合（Ｓ９０２がＮｏ）、編集人数を１人減らした「Ｎ−１」に変更し、再度Ｓ９０２の処理を行う。編集人数がＮ人のアルバムページが存在する場合（Ｓ９０２がＹｅｓ）、続いて、編集人数がＮ人のアルバムページが複数存在するか確認する（Ｓ９０３）。
【００７０】
なお、アルバム閲覧者数に加え、アルバム閲覧者の情報が特定できている場合は、Ｓ９０２およびＳ９０２の処理において、アルバム閲覧者を含むＮ人が編集に参加したアルバムページが存在するか否かを確認するようにしてもよい。この場合、例えば、図５に示した編集履歴情報において、「編集人数」と「参加者名」とをあわせて参照するようにすればよい。
【００７１】
編集人数がＮ人のアルバムページが複数存在しない、つまり、編集人数がＮ人のアルバムページが１つのみ存在する場合（Ｓ９０３がＮｏ）、該当アルバムページが最も重要度が高く、作品を取得する際の優先順位を最も高いと設定する（Ｓ９０６）。編集人数がＮ人のアルバムページが複数存在する場合（Ｓ９０３がＹｅｓ）、各々のアルバムページについて、編集人数以外の情報を用いてポイントを計算する（Ｓ９０４）。具体的には、Ｎ人参加のアルバムページのそれぞれについて、作品履歴情報に含まれる「距離」、「やりとり」、「編集内容」それぞれに対応するポイントを、図７に示した評価値情報を用いて特定し、これらのポイントを集計する。このとき、ポイントの集計は、各ポイントを単に合計したものであってもよく、各ポイントに所定の重み付け係数を掛け合せた上で合計したものであってもよい。
【００７２】
次に、編集人数がＮ人のアルバムページについて、作品を取得する際の優先順位を設定する（Ｓ９０５）。具体的には、編集人数がＮ人のアルバムページそれぞれの合計ポイントを比較し、ポイントが高い順に優先順位を設定する。続いて、アルバム中に残るアルバムページが存在するか確認する（Ｓ９０７）。アルバム中に残るアルバムページが存在しない場合（Ｓ９０７がＮｏ）、重要度算出を終了する。アルバム中に残るアルバムページが存在する場合（Ｓ９０７がＹｅｓ）、参加者人数を１人減らした「Ｎ−１」に変更し、Ｓ９０２の処理へ移行する。以上のフローにより、指定のアルバムＩＤ中の全アルバムページの優先順位の設定を行う。
【００７３】
次に、重要度算出ルールが「ポイント優先」の場合の重要度算出処理について、図１０のフローチャートを用いて説明する。前提として、Ｎ人が一緒に作品評価装置１００を用いてあるアルバムＩＤのアルバムページの閲覧を行うシーンを想定する。作品重要度算出部１０６は、アルバム閲覧者数Ｎを把握している状態から重要度算出を開始する。なお、アルバム閲覧者や参加者数の把握方法は、前述の通りである。
【００７４】
まず、図６に示した基準情報から、「ポイント優先」の重要度算出ルールを取得する（Ｓ１００１）。このときのルールの取得方法は前述の通りである。
【００７５】
次に、アルバムページ毎にポイントを算出する（Ｓ１００２）。具体的には、アルバムページ毎に、図５に示した編集履歴情報に含まれる「距離」、「やりとり」、「編集内容」、「編集人数」それぞれに対応するポイントを、図７に示した評価値情報を用いて特定し、これらのポイントを集計する。このとき、ポイントの集計は、各ポイントを単に合計したものであってもよく、各ポイントに所定の重み付け係数を掛け合せた上で合計したものであってもよい。
【００７６】
次に、ポイントが高い順に優先順位を設定する（Ｓ１００３）。以上のフローにより、全アルバムページの優先順位付けを実施する。
【００７７】
次に、重要度算出ルールが「個別参加者優先」の場合のアルバム重要度算出について図１１のフローチャートを用いて説明する。前提として、Ｎ人が一緒に作品評価装置１００を用いてあるアルバムＩＤのアルバムページの閲覧を行うシーンを想定する。作品重要度算出部１０６は、アルバム閲覧者数Ｎを把握している状態から重要度算出を開始する。なお、アルバム閲覧者や参加者数の把握方法は、前述の通りである。
【００７８】
まず、図６に示した基準情報から、「個別参加者優先」の重要度算出ルールを取得する（Ｓ１１０１）。このときのルールの取得方法は前述の通りである。
【００７９】
次に、図５に示した編集履歴情報の「参加者名」を参照し、閲覧しようとするユーザが編集に参加したアルバムページが存在するか否かを判定する（Ｓ１１０２）。なお、閲覧しようとするユーザが複数人いる場合は、そのいずれかが編集に参加したアルバムページの有無を判定してもよく、閲覧しようとするユーザ全てが編集に参加したアルバムページの有無を判定してもよい。
【００８０】
閲覧しようとするユーザが編集に参加したアルバムページが存在しない場合（Ｓ１１０２がＮｏ）、「個別参加者優先」の重要度算出ルールにより重要度を算出すべきアルバムページは存在しないと判定し、処理を終了する。閲覧しようとするユーザが編集に参加したアルバムページが存在する場合（Ｓ１１０２がＹｅｓ）、続いて、このようなアルバムページが複数存在するか確認する（Ｓ１１０３）。
【００８１】
閲覧しようとするユーザが編集に参加したアルバムページが複数存在しない、つまり、閲覧しようとするユーザが編集に参加したアルバムページが１つのみ存在する場合（Ｓ１１０３がＮｏ）、該当アルバムページが最も重要度が高く、作品を取得する際の優先順位を最も高いと設定する（Ｓ１１０６）。閲覧しようとするユーザが編集に参加したアルバムページが複数存在する場合（Ｓ１１０３がＹｅｓ）、各々の該当アルバムページに関して、参加者以外の情報を用いてポイントを計算する（Ｓ１１０４）。具体的には、閲覧しようとするユーザが編集に参加したアルバムページのそれぞれについて、編集履歴情報に含まれる「距離」、「やりとり」、「編集内容」、「編集人数」それぞれに対応するポイントを、図７に示した評価値情報を用いて特定し、これらのポイントを集計する。このとき、ポイントの集計は、各ポイントを単に合計したものであってもよく、各ポイントに所定の重み付け係数を掛け合せた上で合計したものであってもよい。
【００８２】
次に、閲覧しようとするユーザが編集に参加したアルバムページについて、作品を取得する際の優先順位を設定する（Ｓ１１０５）。具体的には、閲覧しようとするユーザが編集に参加したアルバムページそれぞれの合計ポイントを比較し、ポイントが高い順に優先順位を設定する。
【００８３】
以上のフローにより、閲覧しようとするユーザが編集に参加したアルバムページの優先順位を設定する。
【００８４】
以上のように、本実施の形態に係る作品評価装置によれば、複数人で共同作成する作品について、複数人による編集履歴に基づき作品の優先順位付けを行うことが可能となる。例えば、「指定アルバムのスライドショー再生時におけるアルバムページの表示順」や「指定アルバムのアルバムページ一覧時のサムネイル画像の表示順」などを最適に決定することができる。また前述の例のスライドショー再生時において、全てのアルバムページを再生表示するのではなく、優先順位の高い上位数枚をダイジェストとして再生することなども可能となる。
【００８５】
（変形例）
以上、実施の形態１について説明したが、本発明は上記の内容に限定されず、本発明の目的とそれに関連又は付随する目的を達成するための各種形態においても実施可能であり、例えば、以下であっても構わない。
【００８６】
（１）実施の形態１では、作品評価装置は、作品としてデジタルアルバムを扱う場合の例を説明したが、作品としては、スライドショー、ムービー、音声データ、その他、ユーザにより編集されうる種々のコンテンツが考えられる。
【００８７】
（２）実施の形態１では、作品重要度算出部１０６は、基準情報として定義された複数の重要度算出ルールのいずれか１つを用いて作品の重要度算出を行うこととしたが、複数の重要度算出ルールを適宜組み合わせて重要度を算出してもよい。この場合の重要度は、各重要度算出ルールによって算出されるポイントを単に合計したものであってもよく、各重要度算出ルールによって算出されるポイントに所定の重み付け係数を掛け合せた上で合計したものであってもよい。
【００８８】
（３）重要度算出に用いる重要度算出ルールは、図６の例に限らない。例えば、「編集人数優先」、「距離優先」、「データ量優先」等、編集履歴情報の他の項目を利用した重要度算出ルールを用いてもよい。これにより、「編集人数優先」であれば、編集人数が多い作品を重要度の高い作品であると評価することができる。また、「距離優先」であれば、物理的にはより遠く離れたユーザにより編集された作品を重要度の高い作品であると評価することができる。また、「データ量優先」であれば、作品の編集の際に、編集を行ったユーザ間でより多くのやり取りが行われた作品を重要な作品であると評価することが可能となる。
【００８９】
（４）実施の形態１では、作品評価装置１００において、作品編集部１０２、作品情報記憶部１０３、編集履歴取得部１０４、編集履歴情報記憶部１０５を備えるとしたが、これらの機能ブロックは、作品評価装置１００において備えなくてもよい。例えば、これらの機能ブロックを備え、作品評価装置１００と接続された作品編集装置のような形で構成されていてもよい。この場合、作品評価装置は、作品重要度算出の際に、作品編集装置に格納された編集履歴情報を参照して重要度を算出すればよい。また、重要度の算出結果に基づき、作品編集装置に格納された作品を取得するようにすればよい。
【００９０】
（５）実施の形態１では、作品重要度算出部１０６は、作品評価装置１００が備える重要度算出情報記憶部１０７に記憶された重要度算出情報を用いて重要度の算出を行うこととしたが、これに限らない。例えば、作品評価装置１００が備える重要度算出情報記憶部１０７に記憶された重要度算出情報にかえて、またはこれとあわせて、他の装置に記憶された重要度算出情報を取得して重要度の算出を行うこととしてもよい。
【００９１】
（６）実施の形態１の作品評価装置は、典型的には集積回路であるＬＳＩ（Ｌａｒｇｅ  Ｓｃａｌｅ  Ｉｎｔｅｇｒａｔｉｏｎ）として実現されてよい。各回路を個別に１チップとしてもよいし、全ての回路又は一部の回路を含むように１チップ化されてもよい。ここでは、ＬＳＩとして記載したが、集積度の違いにより、ＩＣ（Ｉｎｔｅｇｒａｔｅｄ  Ｃｉｒｃｕｉｔ）、システムＬＳＩ、スーパＬＳＩ、ウルトラＬＳＩと呼称されることもある。また、集積回路化の手法はＬＳＩに限るものではなく、専用回路又は汎用プロセッサで実現してもよい。ＬＳＩ製造後にプログラム化することが可能なＦＰＧＡ（ＦｉｅｌｄＰｒｏｇｒａｍｍａｂｌｅ  Ｇａｔｅ  Ａｒｒａｙ）、ＬＳＩ内部の回路セルの接続や設定を再構成可能なリコンフィギュラブル・プロセッサを利用してもよい。
【００９２】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００９３】
（７）実施の形態１で示した処理をコンピュータ等の各種機器のプロセッサ、及びそのプロセッサに接続された各種回路に実行させるためのプログラムコードからなる制御プログラムを、記録媒体に記録すること、又は各種通信路を介して流通させ頒布することもできる。
【００９４】
このような記録媒体には、スマートメディア、コンパクトフラッシュ（登録商標）、メモリースティック（登録商標）、ＳＤメモリーカード、マルチメディアカード、ＣＤ−Ｒ／ＲＷ、ＤＶＤ±Ｒ／ＲＷ、ＤＶＤ−ＲＡＭ、ＨＤ−ＤＶＤ、ＢＤ（Ｂｌｕ−ｒａｙ  Ｄｉｓｃ）等がある。
【００９５】
流通、頒布された制御プログラムは、プロセッサに読み出され得るメモリ等に格納されることにより利用に供され、そのプロセッサがその制御プログラムを実行することにより実施の形態で示したような各種機能が実現されるようになる。
【００９６】
（補足）
実施の形態１およびその変形例は、以下の態様を含むものである。
【００９７】
（１）本実施の形態に係る作品評価装置は、複数のユーザにより編集された作品を評価する作品評価装置であって、前記複数のユーザによる前記作品に対する編集履歴情報を記憶する編集履歴情報記憶部と、前記作品に対する編集に関する情報および前記複数のユーザに関する情報の少なくとも一方と、前記作品の重要度を評価するための評価値情報とを対応付けた評価値情報を記憶する重要度算出情報記憶部と、前記編集履歴情報および前記評価値情報に基づき前記作品の重要度を算出する作品重要度算出部と、を備える。
【００９８】
これにより、複数人で共同作成する作品について、複数人による編集履歴に基づき作品の優先順位付けを行うことが可能となる。
【００９９】
（２）前記作品に対する編集に関する情報は、前記作品における所定の部分を編集したユーザの人数であるとしてもよい。
【０１００】
これにより、作品における所定の部分を編集したユーザの人数に基づき、作品の優先順位付けを行うことが可能となる。例えば、作品における所定の部分のうち、編集人数が多いものほど重要度が高いと評価することが可能となる。
【０１０１】
（３）前記作品に対する編集に関する情報は、前記作品における所定の部分を編集した際の、前記複数のユーザ間のメッセージのデータ量であるとしてもよい。
【０１０２】
これにより、作品における所定の部分を編集した際の、複数のユーザ間のメッセージのデータ量に基づき、作品の優先順位付けを行うことが可能となる。例えば、作品における所定の部分のうち、編集の際にユーザ間のやりとりが多かったものほど重要度が高いと評価することが可能となる。
【０１０３】
（４）前記作品に対する編集に関する情報は、前記作品における所定の部分を編集した際の編集内容であるとしてもよい。
【０１０４】
これにより、作品における所定の部分を編集した際の編集内容に基づき、作品の優先順位付けを行うことが可能となる。例えば、複数毎のページからなるデジタルアルバムのうち、音声追加という編集が行われたページを重要度が高いと評価することが可能となる。
【０１０５】
（５）前記複数のユーザに関する情報は、前記作品における所定の部分を編集した前記複数ユーザ間の物理的距離であるとしてもよい。
【０１０６】
これにより、作品における所定の部分を編集した複数ユーザ間の物理的距離に基づき、作品の優先順位付けを行うことが可能となる。例えば、作品における所定の部分のうち、物理的にはより遠く離れたユーザにより編集されたものほど重要度が高いと評価することが可能となる。
【０１０７】
（６）前記編集履歴情報記憶部は、さらに、前記作品の重要度を算出するための重要度算出ルールを定義する基準情報を記憶し、前記重要度算出情報記憶部は、前記重要度算出ルールに定義されたルールにより前記作品の重要度を算出することとしてもよい。
【０１０８】
これにより、例えば、編集履歴情報と評価値情報とをどのように用いて重要度を算出するかを重要度算出ルールとして定義し、この重要度算出ルールを指定することで作品の重要度を算出することが可能となる。
【０１０９】
（７）前記作品評価装置は、さらに、作品の閲覧要求に関する閲覧要求情報を受け付ける入出力部を備え、前記基準情報は、複数の重要度算出ルールを含み、前記閲覧要求情報は、前記重要度算出ルールを指定するための情報を含み、前記作品重要度算出部は、前記閲覧要求情報に基づき、前記複数の重要度算出ルールから選択された重要度算出ルールにより前記作品の重要度を算出することとしてもよい。
【０１１０】
これにより、複数定義された重要度算出ルールの中から、ユーザの選択に応じて作品の重要度を算出することが可能となる。
【０１１１】
（８）前記基準情報は、複数の重要度算出ルールを含み、前記作品重要度算出部は、前記複数の重要度算出ルールから所定の順序で選択された重要度算出ルールにより前記作品の重要度を算出することとしてもよい。
【０１１２】
これにより、複数定義された重要度算出ルールの中から、ユーザによる選択を要することなく、所定の重要度算出ルールによって作品の重要度を算出することが可能となる。
【０１１３】
（９）前記作品評価装置は、さらに、作品の閲覧要求に関する閲覧要求情報を受け付ける入出力部を備え、前記閲覧要求情報は、前記作品を閲覧するユーザを識別するためのユーザ識別情報を含み、前記重要度算出部は、前記ユーザ識別情報、前記編集履歴情報および前記評価値情報に基づき前記作品の重要度を算出することとしてもい。
【０１１４】
これにより、複数人で共同作成する作品について、複数人による編集履歴に基づき作品の優先順位付けを行う際に、作品を閲覧するユーザに応じた優先順位の設定を行うことが可能となる。
【産業上の利用可能性】
【０１１５】
本発明にかかる作品評価装置は、高度な画像解析を必要としない方式であるため、クラウドサーバーだけでなく、組み込み機器であるＨＤＤレコーダー及びホームサーバーとしても有用である。
【符号の説明】
【０１１６】
１００    作品評価装置
１０１    入出力部
１０２    作品編集部
１０３    作品情報記憶部
１０４    編集履歴取得部
１０５    編集履歴情報記憶部
１０６    作品重要度算出部
１０７    重要度算出情報記憶部
１０８    作品取得部
１０９    端末
【図１】
2013161467.tif 000003
【図２】
2013161467.tif 000004
【図３】
2013161467.tif 000005
【図４】
2013161467.tif 000006
【図５】
2013161467.tif 000007
【図６】
2013161467.tif 000008
【図７】
2013161467.tif 000009
【図８】
2013161467.tif 000010
【図９】
2013161467.tif 000011
【図１０】
2013161467.tif 000012
【図１１】
2013161467.tif 000013